(57)【要約】【課題】冷蔵室ダクト４０を組み立てる時の組み立てを容易にすることで、冷気４３の供給精度を向上し、部品の共用化とシール性能の管理等の工数を削減して、コスト低減を図る冷蔵庫を提供すること。【解決手段】冷蔵室ダクト４０は側面吐出口４７を設けた第１冷蔵室ダクト４１と吸入口５２を設けた第２冷蔵室ダクト４２を上下に接続して構成し、第１冷蔵室ダクト４１は、冷蔵室２６の温度調節を行う冷蔵室温調操作部４８と冷凍室２７の温度を調整する冷凍室温調操作部４９を設けたものである。これによって、冷蔵室ダクト４０の組み立てを容易にし、第１冷蔵室ダクト４１と第２冷蔵室ダクト４２を組み立てる時の取り付け位置に誤差を生じることが解消され、冷気４３の供給精度を向上するようにしている。【選択図】図１
2011191028.tif 000002
【特許請求の範囲】
【請求項１】
断熱箱体と、この断熱箱体の上部に設けた冷蔵室と、前記断熱箱体の下部に設けた冷凍室と、前記冷蔵室と冷凍室を仕切る断熱仕切壁と、前記冷蔵室の背面に設け、冷気を下から上に向かって供給する冷蔵室ダクトと、この冷蔵室ダクトの内壁を構成し、冷気通路を形成した断熱部と、前記冷蔵室ダクトの側面に設けた複数個の側面吐出口と、この側面吐出口の下方の前記冷蔵室ダクトの一部に設けた吸入口とを備え、前記冷蔵室ダクトは前記側面吐出口を設けた第１冷蔵室ダクトと前記吸入口を設けた第２冷蔵室ダクトを上下に接続して構成し、前記第１冷蔵室ダクトは、冷蔵室の温度調節を行う冷蔵室温調操作部と冷凍室温度を調整する冷凍室温調操作部を設けた冷蔵庫。
【請求項２】
断熱部は、第１冷蔵室ダクトと第２冷蔵室ダクトの内壁を一体で構成し、第２冷蔵室ダクトを第１冷蔵室ダクトに接続することで、断熱部の外側に吸入口に連通する吸入通路を設けた請求項１項に記載の冷蔵庫。
【請求項３】
第１冷蔵室ダクトは、冷気通路をＹの字状に設け、その上端に上部吐出口を設け、側面に複数個の側面吐出口を設け、前記上部吐出口と前記Ｙの字状の冷気通路の分岐した部分の間に照明手段を設けた請求項１または２項に記載の冷蔵庫。
【請求項４】
断熱部は、第１冷蔵室ダクトの内壁を構成する第１断熱部と、第２冷蔵室ダクトの内壁を構成する第２断熱部に分割した請求項１〜３のいずれか１項に記載の冷蔵庫。
【請求項５】
第２冷蔵室ダクトは、断熱仕切壁の上方から断熱仕切壁の断熱部材に第２断熱部を差し込むようにし、第１冷蔵室ダクトに対しては、冷蔵室の背面に向かって押し付けてシールし、着脱可能とした請求項１〜４のいずれか１項に記載の冷蔵庫。
【請求項６】
第１冷蔵室ダクトは、第２冷蔵室ダクトの上方から第１断熱部を第２断熱部に差し込むようにして、着脱を可能とした請求項１〜６のいずれか１項に記載の冷蔵庫。
【請求項７】
冷蔵室ダクトの側部に設けた複数個の側面吐出口は、冷蔵室内に上下複数段に設けた複数個の棚板の天井に沿って冷気を吹き出すようにした１〜６のいずれか１項に記載の冷蔵庫。
【請求項８】
第２冷蔵室ダクトは、冷蔵室の背面から取り外すことにより、断熱仕切壁に設けた送風機の着脱を容易に行うようにした１〜７のいずれか１項に記載の冷蔵庫。
【発明の詳細な説明】
【技術分野】
【０００１】
本発明は、冷蔵庫の断熱仕切壁の省エネ構造に関するものである。
【背景技術】
【０００２】
従来、この種の冷蔵庫は、冷蔵庫本体を断熱仕切壁により複数個の貯蔵室に分割してあり、この断熱仕切壁の前側には、仕切り前板と仕切りカバーと充填された断熱材からなる前仕切体が設けられている（例えば、特許文献１参照）。
【０００３】
図８は、前記広報に記載された従来の冷蔵庫の部分断面を示すものである。図８に示すように、冷蔵庫１は、上段に設けた冷蔵室２と、中段に設けた野菜室３と、下段に設けた冷凍室４と、前記冷蔵室２と野菜室３を仕切るために設け、インジェクション成型品からなる仕切壁５と、冷凍室４から冷蔵室２に冷気を送る風路６と、冷凍室４の背面側に設けた冷凍室側ダクト７と、冷蔵室２の背面側に設けた冷蔵室側ダクト８と、これらの冷凍室側ダクト７と冷蔵室側ダクト８を野菜室３のエリア内で接続するつなぎダクト９と、このつなぎダクト９の上部に設け、冷凍室４から冷蔵室２への冷気の循環を入り切りする風量調節装置１０が配置されている。
【０００４】
また、野菜室３の上方に吸込み口１１が開口し、下端が野菜室３のエリア内で冷凍室側戻りダクト１２と接続したつなぎ戻りダクト１３を構成している。１４は、冷凍室４の奥壁内方に設置したファン、１５は、循環する空気を冷却する熱交換器である。
【先行技術文献】
【特許文献】
【０００５】
【特許文献１】特開２０００−２０５７３３号公報
【発明の概要】
【発明が解決しようとする課題】
【０００６】
しかしながら、前記従来の構成では、冷蔵庫の冷凍室側ダクト７と冷蔵室側ダクト８とつなぎダクト９が３部品により構成され、また冷蔵室側ダクト８の冷気の入り切りをする風量調節装置１０がつなぎダクト９内に配置されているので、冷凍室側ダクト７と冷蔵室側ダクト８とつなぎダクト９の接続の不具合により、つなぎダクト９内に配置した風量調節装置１０の取り付け位置に誤差が生じるという課題を有していた。
【０００７】
また、接続部分が多く、シールに対する構成に工数がかかるという課題を有していた。
【０００８】
本発明は、前記従来の課題を解決するもので、冷蔵庫の冷凍室側ダクト７と冷蔵室側ダクト８とつなぎダクト９の組み立て性の向上とシールの強化を目的とする。
【課題を解決するための手段】
【０００９】
前記従来の課題を解決するために、本発明の冷蔵庫は、断熱箱体と、断熱箱体の上部に設けた冷蔵室と、断熱箱体の下部に設けた冷凍室と、冷蔵室と冷凍室を仕切る断熱仕切壁と、冷蔵室の背面に設け、冷気を下から上に向かって供給する冷蔵室ダクトと、冷蔵室ダクトの内壁を構成し、冷気通路を形成した断熱部と、冷蔵室ダクトの側面に設けた複数個の側面吐出口と、側面吐出口の下方の冷蔵室ダクトの一部に設けた吸入口とを備え、冷蔵室ダクトは側面吐出口を設けた第１冷蔵室ダクトと吸入口を設けた第２冷蔵室ダクトを上下に接続して構成し、第１冷蔵室ダクトは、冷蔵室の温度調節を行う冷蔵室温調操作部と冷凍室温度を調整する冷凍室温調操作部を設けたものである。
【００１０】
これによって、冷蔵室温調操作部と冷凍室温調操作部を第１冷蔵室ダクトに取り付けることで、第１冷蔵室ダクトと第２冷蔵室ダクトを組み立てる時の取り付け位置に誤差を生じることが解消され、冷気の供給精度を向上するようにしている。
【００１１】
また、組み立てを容易にすることで、シール性能の管理等の工数を削減するようにしている。
【発明の効果】
【００１２】
本発明の冷蔵庫は、冷蔵室ダクトの組み立てを容易にして、冷気の供給の精度を向上し、組み立て工数を削減して低コスト化を行うことができる。
【図面の簡単な説明】
【００１３】
【図１】本発明の実施の形態１における冷蔵庫の断面図
【図２】本発明の実施の形態１における冷蔵庫の要部断面図
【図３】本発明の実施の形態１における冷蔵庫の要部断面図
【図４】本発明の実施の形態２における冷蔵庫の要部断面図
【図５】本発明の実施の形態３における冷蔵庫の要部断面図
【図６】従来の冷蔵庫の部分断面図
【発明を実施するための形態】
【００１４】
第１の発明は、断熱箱体と、この断熱箱体の上部に設けた冷蔵室と、前記断熱箱体の下部に設けた冷凍室と、前記冷蔵室と冷凍室を仕切る断熱仕切壁と、前記冷蔵室の背面に設け、冷気を下から上に向かって供給する冷蔵室ダクトと、この冷蔵室ダクトの内壁を構成し、冷気通路を形成した断熱部と、前記冷蔵室ダクトの側面に設けた複数個の側面吐出口と、この側面吐出口の下方の前記冷蔵室ダクトの一部に設けた吸入口とを備え、前記冷蔵室ダクトは前記側面吐出口を設けた第１冷蔵室ダクトと前記吸入口を設けた第２冷蔵室ダクトを上下に接続して構成し、前記第１冷蔵室ダクトは、冷蔵室の温度調節を行う冷蔵室温調操作部と冷凍室温度を調整する冷凍室温調操作部を設けたことにより、第１冷蔵室ダクトと第２冷蔵室ダクトを組み立てる時の取り付け位置に誤差を生じることが解消されることになり、冷気の供給精度を向上することができる。
【００１５】
また、第１冷蔵室ダクトに冷蔵室温調操作部と冷凍室温調操作部を一体化することになり、組み立て工数を削減して低コスト化を行うことができる。
【００１６】
第２の発明は、特に、第１の発明の断熱部は、第１冷蔵室ダクトと第２冷蔵室ダクトの内壁を一体で構成し、第２冷蔵室ダクトを第１冷蔵室ダクトに接続することで、断熱部の外側に吸入口に連通する吸入通路を設けたことにより、冷蔵室内に流入する冷気と吸入通路に流入した冷気との接触を防止することになり、冷蔵室内に流入する冷気の温度上昇を防止することができる。また、第２ダクトの構成は断熱部の冷気通路の影響を受けないことになり、簡素な構成にすることができる。
【００１７】
第３の発明は、特に、第１または第２の発明の第１冷蔵室ダクトは、冷気通路をＹの字状に設け、その上端に上部吐出口を設け、側面に複数個の側面吐出口を設け、前記上部吐出口と前記Ｙの字状の冷気通路の分岐した部分の間に照明手段を設けたことにより、照明手段を設けることで冷蔵室内に不規則な突出部分を設ける必要がなくなり、冷蔵室内の冷気の循環を整流して、収納物を均一に冷却することができる。
【００１８】
第４の発明は、特に、第１〜第３のいずれか１つの発明の断熱部は、第１冷蔵室ダクトの内壁を構成する第１断熱部と、第２冷蔵室ダクトの内壁を構成する第２断熱部に分割したことにより、第１冷蔵室ダクトと第２冷蔵室ダクトのそれぞれが独立した個別の部品として構成することになり、それぞれに着脱を可能にすることができる。
【００１９】
第５の発明は、特に、第１〜第４のいずれか１つの発明の第２冷蔵室ダクトは、断熱仕切壁の上方から断熱仕切壁の断熱部材に第２断熱部を差し込むようにし、第１冷蔵室ダクトに対しては、冷蔵室の背面に向かって押し付けてシールし、着脱可能としたことにより、第２冷蔵室ダクトを第１ダクトの着脱に関係なく着脱することになり、組み立てやメンテナンスを容易にすることができる。
【００２０】
第６の発明は、特に、第１〜第５のいずれか１つの発明の第１冷蔵室ダクトは、第２冷蔵室ダクトの上方から第１断熱部を第２断熱部に差し込むようにして、着脱を可能とした
ことにより、第１冷蔵室ダクトを第２ダクトの着脱に関係なく着脱することになり、組み立てやメンテナンスを容易にすることができる。
【００２１】
第７の発明は、特に、第１〜第６のいずれか１つの発明の冷蔵室ダクトの側部に設けた複数個の側面吐出口は、冷蔵室内に上下複数段に設けた複数個の棚板の天井に沿って冷気を吹き出すようにしたことにより、冷気が棚板の天井に沿って拡大することになり、下部の棚板上にある収納物の全体をもれなく冷却することができる。
【００２２】
第８の発明は、特に、第１〜第７のいずれか１つの発明の第２冷蔵室ダクトは、冷蔵室の背面から取り外すことにより、断熱仕切壁に設け送風機の着脱を容易に行うようにしたことにより、第２冷蔵室ダクトを取り外すことで断熱仕切壁に設けた送風機が露出することになり、送風機の点検や交換を容易に行うことができる。
【００２３】
以下、本発明の実施の形態について図面を参照しながら説明する。なお、本実施の形態によって本発明が限定されるものではない。
【００２４】
（実施の形態１）
図１は、本発明の第１の実施の形態における冷蔵庫の正面の構成を示す断面図、図２は、同実施の形態の冷蔵庫の側面の要部断面図、図３は、同実施の形態の冷蔵庫の側面の要部断面図である。
【００２５】
図１、図２、図３において、２０は、冷蔵庫本体で、樹脂製の内箱２１と鋼板製の外箱２２の間に発泡断熱材２３を充填し、断熱箱体２４を構成している。発泡断熱材２３は、ウレタン発泡断熱材で構成されている。２５は、断熱仕切壁で、断熱箱体２４を上下に仕切っている。２６は、冷蔵室、２７は、冷凍室である。冷蔵室２６前面開口部には、ヒンジ式の冷蔵室ドア２８を構成し、冷凍室２７の前面開口部には、ヒンジ式または引き出し式の冷凍室ドア２９を構成している。
【００２６】
３０は、冷凍室２７後方に構成された冷却器室で、冷凍室２７と冷却器室３０は、冷却器室カバー３１で仕切られている。３２は、冷却器で、その下方に除霜装置３３を配置している。除霜装置３３は、除霜用のヒータと除霜水の受け皿で構成している。３４は、送風機で、直流式のボックス型の軸流ファンを用いている。送風機３４は、断熱仕切壁２５内の断熱部３６に圧入支持される。
【００２７】
このため、送風機３４は、その主要部分を断熱仕切壁２５の圧入部３５内に収容した構成となる。断熱部材３６は、ポリスチレン系樹脂（発泡スチロール）で構成されている。３７は、断熱仕切壁２５の外部を構成する樹脂部で、３７ａは、下板、３７ｂは、上板である。下板３７ａは、冷凍室２７の天井を構成し、上板３７ｂは、冷蔵室２６の底部を構成するようにしている。
【００２８】
３８は、冷蔵室２６の背面に構成された樹脂性の化粧カバーで、この化粧カバー３８の内側にポリスチレン系樹脂（発泡スチロール）で構成した断熱部３９を構成している。この化粧カバー３８と断熱部３９で冷蔵室ダクト４０を構成している。また、化粧カバー３８は、上下２部品に分割され、上部に第１冷蔵室ダクト４１、下部に第２冷蔵室ダクト４２を構成している。
【００２９】
断熱部３９は、内箱２１との間に送風機３４から吐出される冷気４３を上方に導く冷気通路４４を構成している。冷気通路４４は、冷蔵室２６の背面にＹの字状の通路形状を構成し、上方で冷気４３が分岐して供給するようにしている。冷気通路４４の下方には、絞り部４５が設けられ、冷蔵室２６と冷凍室２７への冷気４３の配分を決めるように構成している。
【００３０】
冷蔵室ダクト４０は、冷蔵室２６の背面から突出した形状で設けられ、化粧カバー３８の上方の複数個の上部吐出口４６と、側部の複数個の側面吐出口４７から冷蔵室２６の内壁の天井や側部に向かって冷気４３を吹き出すようにしている。
【００３１】
この冷気通路４４の絞り部４５と上部吐出口４６と側面吐出口４７は、第１冷蔵室ダクト４１に配置している。また、絞り部４５の通路面積を変えて冷蔵室２６の温度調節を行う冷蔵室温調操作部４８も第１冷蔵室ダクト４１に設けられ、この冷蔵室温調操作部４８は、手動ダンパまたは機械式、電動式ダンパで構成している。
【００３２】
また、冷凍室２７の温度を調整する冷凍室温調操作部４９も第１冷蔵室ダクト４１に設けられ、この冷凍室温調操作部４９は、ボリューム等の抵抗器で構成し、冷蔵室ダクト４０の冷気通路４４と独立した部分の断熱部３９の一部を利用して装着し、その調節ツマミ５０を冷蔵室２６内に臨ませている。冷凍室温調操作部４９の温度検知部５１は、冷凍室２７内の冷気４３の通過する位置の例えば、送風機３４により供給する冷気４３の一部は、冷却器室３０から冷却器室カバー３１の開口部分を介して、冷凍室２７に流入するので、その近傍に設置するようにしている。
【００３３】
冷蔵室ダクト４０は、側面吐出口４７の下方に吸入口５２を設け、この吸入口５２は、下方に設け、断熱仕切壁２５を貫通した吸入通路５３を介して冷蔵室２６を冷却した冷気４３を冷却器３２に戻るようにしている。吸入口５２は、第２冷蔵室ダクト４２に設けられ、冷気通路４４と隔離され、冷蔵室ダクト４０の断熱部３９の外側に化粧カバー３８を用いて構成している。
【００３４】
冷蔵室ダクト４０と断熱仕切壁２５の結合は、冷蔵室ダクト４０の断熱部３９をインロウの構成で、送風機３４が収容された圧入部３５の開口に差し込む形で装着するようにしている。この装着により、圧入部３５も冷気通路４４の一部として構成されている。インロウの構成の接触部分には、シール材（図示なし）を設けて、冷気４３の漏れを防止するようにしている。
【００３５】
５４は、冷蔵室２６内の上下に設けた複数個の棚板、５５は、冷蔵室２６の複数個の棚板４５の最下段の棚板５４の下方に設けた冷蔵室ケース（野菜ケース等）である。また、５６は、冷凍室２７に設けた複数個のケースである。第１冷蔵室ダクト４１の複数個の側面吐出口４７は、この上下複数段に設けた複数個の棚板５４の天井に沿って冷気４３を吹き出すようにしている。
【００３６】
５７は、第１冷蔵室ダクト４１に設けた照明手段で、照明手段５７は、第１冷蔵室ダクト４１に設けるときに断熱部３９の凹み５８に配置し、冷蔵室ダクト４０内に流入する冷気４３と接触しないようにしている。
【００３７】
この凹み５８は、Ｙの字状の冷気通路４４の分岐した部分の上方と上部吐出口４６との間に設け、化粧カバー３８の開口５９を介して、照明手段５７により、冷蔵室２６内の照明を行うようにしている。照明手段５７は、複数個の半導体発光素子（ＬＥＤ）６０で構成され、このそれぞれの半導体発光素子６０は、冷蔵室２６内の複数個の棚板５４に沿って配置し、棚５４間の照明を行うようにしている。
【００３８】
この場合の複数個の棚５４の配置は、標準的な配置であって例えば冷蔵庫本体２０の出荷時の配置を想定している。６１は、化粧カバー３８の開口５９を覆うように設けた透明または半透明の樹脂材料で構成された照明手段５７の照明カバーで、この照明カバー６１により、指向性の強い半導体発光素子６０の光を拡散するようにして、棚５４間の広範囲の照明を行うようにしている。
【００３９】
照明カバー６１は、半導体発光素子６０の光を拡散する程度を棚５４間の照射角度に拡散するように、指向性の強い半導体発光素子６０の光を屈折するようにしている。また、この照明カバー６１により、凹み５８内に冷蔵室２６を循環する冷気４３が侵入しないようにしている。照明手段５７の配線は、冷蔵室ダクト４０の断熱部３９内を通り結線するようにしている。（図示なし）。
【００４０】
６２は、冷蔵庫本体２０の下部後方に配置した機械室で、圧縮機６３を設けている。
【００４１】
６４は、冷蔵室ドア２８と冷凍室ドア２９の内面の外周部に装着したガスケットで、このガスケット６４を断熱箱体２４に押し付けて、シールを行うようにしている。
【００４２】
６５は、冷凍室２７の冷凍室ドア２９の内面から突出する突出部で、冷凍室ドア２９の内面の周壁の全体にわたって設けられている。この突出部６５と内箱２１または断熱仕切壁２５で、略水平の空間６６を構成し、この空間６６の沿面距離を拡大することで冷気４３の空間６６への侵できる入量を減少するようにしている。同様に冷蔵室２６の冷蔵室ドア２８の内面から突出する突出部６７を設け、内箱２１または断熱仕切壁２５で空間６８を構成して、この空間６８の沿面距離を拡大することで冷気４３の空間６８への侵入量を減少するようにしている。
【００４３】
以上のように構成された冷蔵庫において、その動作、作用を説明する。
【００４４】
冷却器３２で冷却されて生じる冷気４３は、送風機３４により冷蔵室２６と冷凍室２７に分配され供給するようにしている。冷蔵室２６には、第１冷蔵室ダクト４１の上部吐出口４６と側面吐出口４７から冷気４３が供給され、冷蔵室２６内を均一に循環するようにしている。送風機３４により供給する冷気４３の一部は、冷却器室３０から冷却器室カバー３１の開口部分を介して、冷凍室２７内を循環するようにしている。吐出された冷気４３は、冷蔵室２６と冷凍室２７を冷却した後に、冷蔵室２６では、第２冷蔵室ダクト４２の側面吐出口４７の下方に設けた吸入口５２から吸入通路５３を通って冷却器３２に戻るようにしている。また、冷凍室２７では、冷却器室カバー３１の下部の開口部分から冷却器３２に戻るようにしている。
【００４５】
冷蔵室２６と冷凍室２７に供給する冷気４３の風量コントロールは、第１冷蔵室ダクト４１側の冷気通路４４の下部に設けた絞り部４５を冷蔵室温調操作部４８で通路面積を調節することで行い、この冷蔵室温調操作部４８により冷却器室３０からファン３４を介して供給する冷気４３の冷蔵室ダクト４０に供給する割合を指示するようにしている。この冷蔵室温調操作部４８は、手動ダンパまたは機械式、電動式ダンパで構成している。この風量の割合に対して、冷凍室２７の温度調節は、第１冷蔵室ダクト４１に設けた冷凍室温調操作部４９の調節ツマミ５０で指示を行い、冷凍室２７内の温度検知部５１の値を元に圧縮機５４をオンオフするか出力ダウンするかして行うようにしている。
【００４６】
照明手段５７は、断熱部３９の凹み部５８に設けることで、冷気通路４４内の冷気４３と接触することが無く、熱交換や冷気４３の流れの乱れを起こさないようにしている。また、Ｙの字状の冷気通路４４の分岐部分の上方に配置し、冷気通路４４を妨げない部分を利用して、第１冷蔵室ダクト４１に一体化して着脱を可能にしている。また、照明手段５７は、数個の半導体発光素子６０で構成し、それぞれの半導体発光素子６０を棚５４間の照明を向上するように配置し、また照明カバー６１により、光を拡散して、広範囲の照明を行なうようにしている。
【００４７】
内箱２１を上下に仕切る断熱仕切壁２５は、後方に設けた挿入部分に送風機３４を圧入し、支持する。この送風機３４は、軸流ファンであり、その外周部には、緩衝材を巻いて挿入部分との隙間を詰めている。圧入支持された送風機３４は、断熱仕切壁２５から独立して送風機３４を上方に取り除くことで、送風機３４の故障等のサービスを可能としている。
【００４８】
また、断熱箱体２４の組み立て工程では、送風機３４を取り付けた状態で断熱仕切壁２５を内箱２１の所定位置に仮固定し、外箱２２と内箱２１間に発泡断熱材２３（発泡ウレタン）を充填し、断熱仕切壁２５の側部にあたる内箱２１の部分から発泡断熱材２３を漏らすことで、断熱仕切壁２５は、所定の位置に固定される。このようにして各組み立て工程を経て、図１、図２に示す冷蔵庫本体２０が完成する。
【００４９】
また、冷蔵室ダクト４０の化粧カバー３８を第１冷蔵室ダクト４１と第２冷蔵室ダクト４２に分割構成することで、冷蔵庫本体２０の大きさ違いや冷蔵室の容量違いによる各機種の冷蔵室ダクト４０の一部を共用化してコストダウンを図るようにしている。特に第１冷蔵室ダクト４１は、各機種により、大きさや上部吐出口４６と側面吐出口４７を変えて構成するが、第２冷蔵室ダクト４２をすべての冷蔵庫本体２０を通じて共通化するようにしている。
【００５０】
また、第１冷蔵室ダクト４１に冷蔵室温調操作部４８と冷凍室温調操作部４９を取り付けることで、第１冷蔵室ダクト４１と第２冷蔵室ダクト４２を組み立てる時の取り付け位置に誤差を生じることが解消され、冷気４３の供給精度を向上するようにしている。
【００５１】
また、断熱部３９は、第１冷蔵室ダクト４１と第２冷蔵室ダクト４２の内壁を一体で構成し、第２冷蔵室ダクト４２を第１冷蔵室ダクト４１に接続することで、断熱部３９の外側に吸入口５２を設け、冷蔵室２６内に流入する冷気４３と吸入通路５３に流入した冷気４３との接触を防止し、冷蔵室２６内に流入する冷気４３の温度上昇を防止するようにしている。
【００５２】
また、第１冷蔵室ダクト４１の側部に設けた複数個の側面吐出口４７は、冷蔵室２６内に上下複数段に設けた複数個の棚板５４の天井に沿って冷気４３を吹き出すようにし、冷気４３が棚板５４の天井に沿って棚板５４間に拡大するようにしている。
【００５３】
以上のように、本実施の形態においては、冷蔵室ダクト４０は側面吐出口４７を設けた第１冷蔵室ダクト４１と吸入口５２を設けた第２冷蔵室ダクト４２を上下に接続して構成し、第１冷蔵室ダクト４１は、冷蔵室２６の温度調節を行う冷蔵室温調操作部４８と冷凍室２７の温度を調整する冷凍室温調操作部４９を設けたので、第１冷蔵室ダクト４１と第２冷蔵室ダクト４２を組み立てる時の取り付け位置に誤差を生じることが解消されることになり、冷気４３の供給精度を向上することができる。
【００５４】
また、本実施の形態では、第１冷蔵室ダクト４１に冷蔵室温調操作部４８と冷凍室温調操作部４９を一体化したので、組み立て工数を削減して低コスト化を行うことができる。
【００５５】
また、本実施の形態では、冷蔵室ダクト４０の化粧カバー３８を第１冷蔵室ダクト４１と第２冷蔵室ダクト４２に分割構成したので、冷蔵庫本体２０の大きさ違いや冷蔵室の容量違いによる各機種の冷蔵室ダクト４０の一部を共用化してコストダウンを図ることができる。
【００５６】
また、本実施の形態では、第２冷蔵室ダクト４２をすべての冷蔵庫本体２０を通じて共通化するので、送風機３４の組み立てやメンテナンスが共通化して、作業の効率を向上することができる。
【００５７】
また、本実施の形態では、断熱部３９は、第１冷蔵室ダクト４１と第２冷蔵室ダクト４２の内壁を一体で構成し、第２冷蔵室ダクト４２の断熱部３９の外側に吸入口５２に連通する吸入通路５３を設けたので、冷蔵室２６内に流入する冷気４３と吸入通路５３に流入した冷気４３との接触を防止して、冷蔵室２６内に流入する冷気４３の温度上昇を防止することができる。
【００５８】
また、本実施の形態では、第２冷蔵室ダクト４２の構成は断熱部３９の冷気通路４４の影響を受けないことになり、化粧カバー３８の材料と一体化させて簡素な構成にすることができる。
【００５９】
また、本実施の形態では、第１冷蔵室ダクト４１の側部に設けた複数個の側面吐出口４７は、冷蔵室２６内に設けた複数個の棚板５４の天井に沿って冷気４３を吹き出すようにしたので、冷気４３が棚板５４の天井に沿って拡大することになり、下部の棚板５４上にある収納物の全体をもれなく冷却することができる。
【００６０】
また、本実施の形態では、冷蔵室ダクト４０は、冷気４３を同一方向に供給し、冷気４３の吹き出し状態を統一して、冷気４３の吹き出しの均一化を図ることで、冷蔵室２６内の温度分布を均一にすることができる。
【００６１】
また、本実施の形態では、冷蔵室ダクト４０は、冷蔵室２６の背面から突出した側部に設けた複数個の側面吐出口４７から、冷蔵室２６の内壁の側部に向かって冷気４３を供給するようにしたので、冷蔵室２６の内壁に沿って冷気４３が移動し、収納物を包み込むような流れを形成することとなり、収納物を均一に冷却することができる。
【００６２】
また、本実施の形態では、冷蔵室ダクト４０は、冷気通路４４をＹの字状に設け、その上端に上部吐出口４６を設け、上部吐出口４６とＹの字状の冷気通路４４の分岐した部分の間に照明手段５７を設けたので、照明手段５７を設けることで冷蔵室２６内に不規則な突出部分を設ける必要がなくなり、冷蔵室２６内の冷気の循環を整流して、収納物を均一に冷却することができる。
【００６３】
また、本実施の形態では、冷蔵室２６内を照明する照明手段５７を備え、照明手段５７は、複数個の棚板５４に沿って、複数個の半導体発光素子６０を配置したので、冷蔵室２６の複数個の棚５４に置かれた収納物に各半導体発光素子６０からの光が照射され、収納物の認識と取り出しを容易にすることができる。
【００６４】
また、本実施の形態では、照明手段５７は、照明カバー６１により光を拡散する程度を調整して、指向性の強い半導体発光素子６０の光でも棚５４間を主に照明することができ、光が分散し過ぎないようにして、効率よく収納物の判別を容易にすることができる。
【００６５】
また、本実施の形態では、また、本実施の形態では、照明手段５７は、照明カバー６１により光を拡散するので、指向性の強い半導体発光素子５１の光でも分散され、目に対して残像が残ることを防止することができる。
【００６６】
また、本実施の形態では、第１冷蔵室ダクト４１に照明手段５７を一体化したので、第１冷蔵室ダクト４１の組み立てやメンテナンスを容易に行うことができる。
【００６７】
また、本実施の形態では、冷凍室２７の冷凍室ドア２９内面から突出した突出部６５と内箱２１で略水平の空間６６を構成したので、この空間５６６の沿面距離を調整することで冷気４３の空間６６への侵入量を減少するようにし、消費電力の増加を防止することができる。
【００６８】
また、本実施の形態では、冷蔵室２６の冷蔵室ドア２８内面から突出した突出部６７と内箱２１で略水平の空間６８を構成したことにより、この空間５９の沿面距離を調整することで冷気４３の空間６８への侵入量を減少するようにし、消費電力の増加を防止することができる。
【００６９】
また、本実施の形態では、断熱仕切壁２５は、後方に設けた挿入部分に送風機３４を圧入し、支持しているので、冷蔵室ダクト４０を取り外すことで、断熱仕切壁２５から独立して送風機３４を上方に取り除くことで、容易に送風機３４の故障等のサービスを可能とすることができる。
【００７０】
なお、冷気通路４４の絞り部４５は、コストダウンを図るために固定開口の構成にすることも可能である。
【００７１】
なお、冷蔵室ダクト４０の上部吐出口４６からの冷気４３の風量を機械式ダンパ等で調節することで、冷蔵室２６内の温度を検知しながら調節することも可能である。
【００７２】
（実施の形態２）
図４は、本発明の第２の実施の形態における冷蔵庫の構成を示す要部断面図である。
【００７３】
図４において、冷蔵室ダクト４０の内壁を構成する断熱部３９は、第１冷蔵室ダクト４１の内壁を構成する第１断熱部６９と、第２冷蔵室ダクト４２の内壁を構成する第２断熱部７０に分割して組み立てを行うことができるようにしている。第２冷蔵室ダクト４２と断熱仕切壁２５の結合は、第２冷蔵室ダクト４２の第２断熱部７０をインロウの構成で、送風機３４が収容された圧入部３５の開口に差し込む形で装着するようにしている。この装着により、圧入部３５も冷気通路４４の一部として構成されている。インロウの構成の接触部分には、シール材（図示なし）を設けて、冷気４３の漏れを防止するようにしている。
【００７４】
また、第１冷蔵室ダクト４１と第２冷蔵室ダクト４２の結合は、第１冷蔵室ダクト４１の第１断熱部６９をインロウの構成で、第２冷蔵室ダクト４２の第２断熱部７０の開口に差し込む形で装着するようにしている。この装着により、冷気通路４４が一体化して構成されている。インロウの構成の接触部分には、シール材（図示なし）を設けて、冷気４３の漏れを防止するようにしている。
【００７５】
以上のように構成された冷蔵庫において、その動作、作用を説明する。
【００７６】
第１冷蔵室ダクト４１用の第１断熱部６９と第２冷蔵室ダクト４２用の第２断熱部７０を設けて、それぞれに独立した個別の部品として構成することになり、それぞれに着脱を可能にしている。また、第１断熱部６９と第２断熱部７０に分割構成することで、冷蔵庫本体２０の大きさ違いや冷蔵室の容量違いによる各機種の冷蔵室ダクト４０の一部を共用化するようにしている。
【００７７】
特に第１冷蔵室ダクト４１は、各機種により、大きさや上部吐出口４６と側面吐出口４７を変えて構成するが、第２冷蔵室ダクト４２をすべての冷蔵庫本体２０を通じて共通化するようにしている。
【００７８】
以上のように、本実施の形態においては、また、第１冷蔵室ダクト４１と第２冷蔵室ダクト４２に分割に合わせて、それぞれの内壁を構成する第１断熱部６９と第２断熱部７０を分割して構成したので、冷蔵庫本体２０の大きさ違いや冷蔵室の容量違いによる各機種の冷蔵室ダクト４０の一部を共用化してコストダウンを図ることができる。
【００７９】
また、本実施の形態では、第２冷蔵室ダクト４２をすべての冷蔵庫本体２０を通じて共通化するので、送風機３４の組み立て作業の効率を向上することができる。
【００８０】
また、本実施の形態では、第１冷蔵室ダクト４１と第２冷蔵室ダクト４２の独立した部品構成になるが、風量制御等の部品をすべて第１冷蔵室ダクト４１に装着し一体化させたので、この部品組み立ての誤差を防止することができる。
【００８１】
（実施の形態３）
図５は、本発明の第３の実施の形態における冷蔵庫の側面の要部断面図である。
【００８２】
図５において、第２冷蔵室ダクト４２は、断熱仕切壁２５の上方から断熱仕切壁２５の断熱部材３６に第２断熱部７０を差し込むようにし、第１冷蔵室ダクト４１に対しては、冷蔵室２６の背面に向かって押し付けてシールし、着脱可能としている。このシール部分には、シール材を設けている。（図示なし）。
【００８３】
以上のように構成された冷蔵庫において、その動作、作用を説明する。
【００８４】
第１冷蔵室ダクト４１と第１断熱部６９の組み合わせ、第２冷蔵室ダクト４２と第２断熱部７０の組み合わせで、個別に取り外しを行うことで、各部品のメンテナンスを容易に行うようにしている。
【００８５】
以上のように、本実施の形態においては、第１冷蔵室ダクト４１と第１断熱部６９の単独の着脱を可能にしているので、第１冷蔵室ダクト４１に装着した冷蔵室温調操作部４８や冷凍室温調操作部４９や照明手段５７のメンテナンスを容易に行うことができる。
【００８６】
また、本実施の形態では、第２冷蔵室ダクト４２と第２断熱部７０の単独の着脱を可能にしているので、断熱仕切壁２５の圧入部３５内に設けた送風機３４が露出することになり、送風機３４の点検や交換を容易に行うことができる。
【００８７】
また、本実施の形態では、第１冷蔵室ダクト４１と第２冷蔵室ダクト４２のそれぞれで着脱可能にしているので、メンテナンス等の作業時間を短縮することができる。
【産業上の利用可能性】
【００８８】
以上のように、本発明にかかる冷蔵庫は、冷蔵室ダクトの組み立てを容易にして、冷気の供給の精度を向上し、組み立て工数を削減して低コスト化を行うので、家庭用の冷蔵庫だけでなく、業務用の冷蔵庫等にも適用できる。
【符号の説明】
【００８９】
２０  冷蔵庫本体
２１  内箱
２２  外箱
２４  断熱箱体
２５  断熱仕切壁
２６  冷蔵室
２７  冷凍室
２８  冷蔵室ドア
２９  冷凍室ドア
３２  冷却器
３４  送風機
３９  断熱部
４０  冷蔵室ダクト
４１  第１冷蔵室ダクト
４２  第２冷蔵室ダクト
４３  冷気
４４  冷気通路
４７  側面吐出口
４８  冷蔵室温調操作部
４９  冷凍室温調操作部
５２  吸入口
【図１】
2011191028.tif 000003
【図２】
2011191028.tif 000004
【図３】
2011191028.tif 000005
【図４】
2011191028.tif 000006
【図５】
2011191028.tif 000007
【図６】
2011191028.tif 000008